(57)【要約】【課題】  新たな部品を追加することなく温度制御することができる光源装置及びこれを備えるプロジェクタを提供する。【解決手段】  光源装置は、光を放射する光源ランプ１８と、光源ランプ１８を内部に収容し、光源ランプ１８からの光を出射する開放面を有し、光源ランプ１８からの光をその内面で反射して開放面から出射させるリフレクタ２１と、を備えている。リフレクタ２１の内面には、その上部に上部反射膜２１ｂと、上部反射膜２１ｂよりも熱を反射しない下部反射膜２１ｃとが形成されている。【選択図】  図６
2006284627.tif 000002
【特許請求の範囲】
【請求項１】
光を放射する光源ランプと、
前記光源ランプを内部に収容し、当該光源ランプからの光を出射する開放面を有し、前記光源ランプからの光をその内面で反射して前記開放面から出射させるリフレクタと、を備え、
前記リフレクタの内面には、少なくとも、前記光源ランプからの光を反射する第１の反射膜と、前記光源ランプからの光を反射するとともに前記第１の反射膜よりも熱の反射が少ない第２の反射膜と、が形成されている、ことを特徴とする光源装置。
【請求項２】
前記第１の反射膜は前記リフレクタの内面の上部に形成され、前記第２の反射膜は前記リフレクタの内面の下部に形成されている、ことを特徴とする請求項１に記載の光源装置。
【請求項３】
前記第１の反射膜及び前記第２の反射膜は、紫外線透過性反射膜である、ことを特徴とする請求項１または２に記載の光源装置。
【請求項４】
光を放射する光源ランプと、
前記光源ランプを内部に収容し、当該光源ランプからの光を出射する開放面を有し、前記光源ランプからの光をその内面で反射して前記開放面から出射させるリフレクタと、
前記リフレクタの開放面に対向するように配置された透明板と、
前記透明板を介して、前記リフレクタの開放面に対向するように配置されたカラーホイールと、を備え、
前記透明板及び前記カラーホイールは、前記リフレクタの開放面から出射された光軸に垂直な面に対して所定角度傾斜するように配置されている、ことを特徴とする光源装置。
【請求項５】
前記透明板は、防爆ガラスである、ことを特徴とする請求項４に記載の光源装置。
【請求項６】
前記リフレクタの内面、前記透明板及び前記カラーホイールの少なくとも１つは、紫外線フィルタ機能を有している、ことを特徴とする請求項４または５に記載の光源装置。
【請求項７】
前記光源ランプは、
その内部にアークにより発光する物質が封入されたガラスバルブと、
それぞれの先端が近接対向するとともに、それぞれの後端が前記ガラスバルブから露出するように配置された一対の棒状の電極と、を備え、
前記ガラスバルブ内で近接対向する電極の先端間にアークを発生させることにより発光するアークランプである、ことを特徴とする請求項１乃至６のいずれか１項に記載の光源装置。
【請求項８】
前記リフレクタは、その軸線上の前記リフレクタ内の点と開放面の前方の点とにそれぞれ焦点を有する楕円面リフレクタであり、
前記光源ランプは、その一端側を前記リフレクタに配置させ、その他端側を前記リフレクタの後方に突出させるとともに、前記一対の電極の先端間の発光点を前記リフレクタ内の焦点に一致させる、ことを特徴とする請求項７に記載の光源装置。
【請求項９】
請求項１乃至８のいずれか１項に記載の光源装置と、
入射した光の出射を制御して画像を表示する表示素子と、
前記光源装置から出射した光を前記表示素子に入射させる光源側光学系と、
前記表示素子からの出射光を投影面に投影する投影レンズと、
を備える、ことを特徴とするプロジェクタ。
【発明の詳細な説明】
【技術分野】
【０００１】
本発明は、光源装置及びこれを備えるプロジェクタに関する。
【背景技術】
【０００２】
プロジェクタ等に用いる光源装置は、光源ランプから放射された光をリフレクタにより反射させて、リフレクタに設けられた開放面から光を出射することにより、プロジェクタ等の光源として機能する。
【０００３】
ところで、開放面から出射された光は、その大部分が開放面の前側に配置された透明板を通過して出射するが、一部が透明板、さらに透明板の前側に配置されたカラーホイールなどに反射されてリフレクタ内に戻ってしまう。このように戻った光が、例えば、ランプ陰極溶接部のように、高温になってはいけない箇所が当たると、この箇所が高温になってしまう。このため、光源装置の内部の温度を制御する方法が求められている。
【０００４】
光源装置の温度を制御する方法としては、例えば、光源ランプ（発光管）の封止部に熱導電性部材を取り付けることにより、発光管の温度を制御する方法が提案されている（例えば、特許文献１参照）。
【特許文献１】特開２００４−３０１９４５号公報
【発明の開示】
【発明が解決しようとする課題】
【０００５】
しかし、特許文献１の方法では、熱導電性部材という新たな部品を取り付ける必要があり、光源装置の構造が複雑になってしまう。さらに、光源ランプの仕様によって、例えば、リフレクタ内の上部温度を下げ、下部温度を上げなければならない場合、光源装置の構造はさらに複雑になってしまう。このため、新たな部品を追加することなく、光源装置を温度制御できることが求められている。
【０００６】
本発明は、上記問題に鑑みてなされたものであり、新たな部品を追加することなく温度制御することができる光源装置及びこれを備えるプロジェクタを提供することを目的とする。
【課題を解決するための手段】
【０００７】
上記目的を達成するため、本発明の第１の観点にかかる光源装置は、
光を放射する光源ランプと、
前記光源ランプを内部に収容し、当該光源ランプからの光を出射する開放面を有し、前記光源ランプからの光をその内面で反射して前記開放面から出射させるリフレクタと、を備え、
前記リフレクタの内面には、少なくとも、前記光源ランプからの光を反射する第１の反射膜と、前記光源ランプからの光を反射するとともに前記第１の反射膜よりも熱の反射が少ない第２の反射膜と、が形成されている、ことを特徴とする。
【０００８】
前記第１の反射膜は、例えば、前記リフレクタの内面の上部に形成され、前記第２の反射膜は、例えば、前記リフレクタの内面の下部に形成されている。
前記第１の反射膜及び前記第２の反射膜は、紫外線透過性反射膜であることが好ましい。
【０００９】
本発明の第２の観点にかかる光源装置は、
光を放射する光源ランプと、
前記光源ランプを内部に収容し、当該光源ランプからの光を出射する開放面を有し、前記光源ランプからの光をその内面で反射して前記開放面から出射させるリフレクタと、
前記リフレクタの開放面に対向するように配置された透明板と、
前記透明板を介して、前記リフレクタの開放面に対向するように配置されたカラーホイールと、を備え、
前記透明板及び前記カラーホイールは、前記リフレクタの開放面から出射された光軸に垂直な面に対して所定角度傾斜するように配置されている、ことを特徴とする。
【００１０】
前記透明板は、防爆ガラスであることが好ましい。
前記リフレクタの内面、前記透明板及び前記カラーホイールの少なくとも１つは、紫外線フィルタ機能を有していることが好ましい。
【００１１】
前記光源ランプは、
その内部にアークにより発光する物質が封入されたガラスバルブと、
それぞれの先端が近接対向するとともに、それぞれの後端が前記ガラスバルブから露出するように配置された一対の棒状の電極と、を備え、
前記ガラスバルブ内で近接対向する電極の先端間にアークを発生させることにより発光するアークランプであってもよい。
【００１２】
前記リフレクタは、その軸線上の前記リフレクタ内の点と開放面の前方の点とにそれぞれ焦点を有する楕円面リフレクタであり、
前記光源ランプは、その一端側を前記リフレクタに配置させ、その他端側を前記リフレクタの後方に突出させるとともに、前記一対の電極の先端間の発光点を前記リフレクタ内の焦点に一致させてもよい。
【００１３】
本発明の第３の観点にかかるプロジェクタは、
本発明の第１または第２の観点にかかる光源装置と、
入射した光の出射を制御して画像を表示する表示素子と、
前記光源装置から出射した光を前記表示素子に入射させる光源側光学系と、
前記表示素子からの出射光を投影面に投影する投影レンズと、
を備える、ことを特徴とする。
【発明の効果】
【００１４】
本発明によれば、新たな部品を追加することなく温度制御することができる。
【発明を実施するための最良の形態】
【００１５】
以下、本発明の光源装置及びこれを備えるプロジェクタについて、図面を参照して説明する。
【００１６】
（実施形態１）
まず、本発明の実施形態１の光源装置及びこれを備えるプロジェクタについて説明する。図１及び図２は、実施形態１の光源装置を備えるプロジェクタの斜視図であり、図１はプロジェクタを使用していない状態を示し、図２はプロジェクタを使用している状態を示している。
【００１７】
図１及び図２に示すように、プロジェクタは、平面形状が矩形状のプロジェクタケース１を備えている。プロジェクタケース１は、その両側面、後面及び底面をなすケース本体１ａと、上面パネル１ｂと、前面パネル１ｃとから構成されている。
【００１８】
ケース本体１ａの後面には、図示しない、パーソナルコンピュータ用のＵＳＢ端子、カラー画像信号と音声信号の入力端子、ビデオ信号入力端子、電源コネクタ等が設けられている。上面パネル１ｂには、電源キー２と、後述する光源装置１７の点灯を表示するランプインジゲータ３と、光源装置１７が過熱状態となったことを表示する過熱インジゲータ４と、自動画質調整キー５と、手動画質調整キー６と、電気コネクタを商用電源に接続したスタンバイ状態と電源キー２をオンさせたときとで表示色が変化するパワー／スタンバイインジゲータ７と、開閉蓋８を開いて操作される図示しない各種調整キーと、スピーカ用放音部９とが設けられている。前面パネル１ｃには、図示しないリモコンからの信号（例えば、赤外線信号）を受けるリモコン受信部１０が設けられている。
【００１９】
また、前面パネル１ｃの一側部には、開閉可能な投影レンズカバー１２を備えた投影口が形成されている。投影レンズカバー１２の中央には開口が形成されており、この開口に、例えば、赤色の半透明板１３が設けられている。
【００２０】
ケース本体１ａの底面には、その後側領域の両側に配置された左右一対の後足部材１４ａと、前側領域の中央付近にケース前縁部よりもある程度後方にずらして配置された１つの前足部材１４ｂが設けられている。この後足部材１４ａ及び前足部材１４ｂは、プロジェクタの使用時（投影時）に、プロジェクタケース１を、その前側を高くした斜め上向き状態に支持するものである。一対の後足部材１４ａは、プロジェクタケース１の底部に螺合された図示しないねじ脚の下端に固定されている。前足部材１４ｂは、プロジェクタケース１内に設けられた図示しない脚ロック機構に上下方向にスライド可能に保持されたロッド脚１５の下端に固定され、ケース底面からの突出高さを調整可能に設けられている。
【００２１】
なお、脚ロック機構は、前面パネルｌｃに設けられたロック解除つまみ１６の押し下げによりロッド脚１５のロックを解除し、ロック解除つまみ１６の押し下げが解除されたときにばね力により自動的にロッド脚１５をロックする構成となっている。プロジェクタの使用時には、ロック解除つまみ１６を押し下げてロッド脚１５を前足部材１４ｂとともに自重により自由に下降できるようにし、この状態でプロジェクタケース１の前側を持ち上げて、後述する投影レンズ４５による投影方向を投影面に合わせた後に、ロック解除つまみ１６の押し下げを解除してロッド脚１５をロックすることにより、プロジェクタケース１が斜め上向き状態に支持される。
【００２２】
図３にプロジェクタの横断平面図を示す。また、図４に図３のＩＶ−ＩＶ線に沿う断面図を示す。図３及び図４に示すように、プロジェクタのプロジェクタケース１内には、光源装置１７と、複数の画素が行方向及び列方向にマトリックス状に配列した表示エリアを有し、この複数の画素に入射した光の出射を制御して画像を表示する表示素子２８と、光源装置１７からの出射光を表示素子２８に入射させる光源側光学系２９と、表示素子２８からの出射光を図示しないスクリーン等の投影面に投影する投影レンズ４５と、が配置されている。
【００２３】
光源装置１７は、図３及び図４に示したように、光源ランプ１８と、光を出射させる開放面を有し、光源ランプ１８を覆うように形成されたリフレクタ２１と、透明板としての防爆ガラス２２と、を備えている。
【００２４】
光源ランプ１８としては、例えば、高圧水銀ランプ等のショートアークランプが用いられる。具体的には、光源ランプ１８は、その中央に球状の膨らみ部を有するガラスバルブ１９を備えている。ガラスバルブ１９の膨らみ部には、例えば、アークにより発光する物質が封入されている。また、ガラスバルブ１９には、モリブデン等からなる一対の棒状電極２０ａ，２０ｂが、それぞれの先端が膨らみ部内において近接対向するとともに、それぞれの後端部がガラスバルブ１９の両端からガラスバルブ１９外に露出するように配置されている。そして、このガラスバルブ１９内の棒状電極２０ａ，２０ｂの先端間にアークが発生し、この発生したアークにより光源ランプ１８が発光する。
【００２５】
リフレクタ２１は、中空の楕円球体をその長軸方向に垂直な方向で切断したような形状に形成され、その軸線上のリフレクタ２１内の点と開放面の前方の点とにそれぞれ焦点を有する。このリフレクタ２１の一端（楕円球体の切断側）には光源ランプ１８からの光を出射させる開放面が形成されている。開放面は、リフレクタ２１の内奥面の中心に設けられている。リフレクタ２１の他端（楕円球体の端部側）に光源ランプ１８が取り付けられ、光源ランプ１８がリフレクタ２１に取り付けられた状態で、ガラスバルブ１９に取り付けられた棒状電極２０ａが開放面から突出する。この光源ランプ１８をリフレクタ２１に取り付ける際には、ガラスバルブ１９の軸線をリフレクタ２１の軸線に一致させ、且つ一対の棒状電極２０ａ，２０ｂの先端間の発光点をリフレクタ２１のリフレクタ内側の焦点に一致させるように取り付けられる。
【００２６】
リフレクタ２１は、例えば、耐熱ガラスから構成され、その内面全体に反射膜２１ａが設けられている。このため、光源ランプ１８からの放射光が反射膜２１ａを反射して開放面から出射するように形成されている。
【００２７】
ここで、リフレクタ２１には、複数種類の反射膜２１ａが形成されている。図５にリフレクタ２１の内面を示す。図５（ａ）はリフレクタ２１の内面を示す側面図であり、図５（ｂ）はリフレクタ２１の内面を示す正面図である。図５に示すように、リフレクタ２１の内面には、その上半分に上部反射膜２１ｂが形成され、その下半分に上部反射膜２１ｂとは異なる下部反射膜２１ｃが形成されている。本実施形態では、上部反射膜２１ｂには従来と同様に光を反射しやすい膜が形成され、下部反射膜２１ｃには上部反射膜２１ｂよりも熱の反射が少ない膜が形成されている。熱の反射が少ない膜とは、例えば、赤外線の反射が他波長の光と比べて少ない膜のことである。このため、１種類の反射膜が形成されている場合に比べて、リフレクタ２１内の上部領域の温度を下げ、リフレクタ２１内の下部領域の温度を上げることができる。
【００２８】
上部反射膜２１ｂ及び下部反射膜２１ｃは、例えば、所望する性能に応じたコーティング剤をリフレクタ２１の内面にコートすることにより形成される。例えば、下部反射膜２１ｃの形成領域をマスクした状態でコーティング剤を蒸着させることにより上部反射膜２１ｂを形成した後、上部反射膜２１ｂをマスクした状態でコーティング剤を蒸着させることにより下部反射膜２１ｃを形成することができる。
また、別のコーティング剤を蒸着した２つのリフレクタを半分に割って張り合わせることでも実現できる。
【００２９】
ここで、リフレクタ２１の内面に形成される上部反射膜２１ｂ及び下部反射膜２１ｃは、紫外線透過性反射膜であることが好ましい。この場合、後述するように、光源ランプ１８からの光のうちの紫外線成分をリフレクタ２１を透過させてその外周に出射させ、光源ランプ１８からの光に対して紫外線量の少ない光をリフレクタ２１の開放面から出射させることができるためである。
【００３０】
防爆ガラス２２は、リフレクタ２１の開放面の前側に配置されている。防爆ガラス２２は、紫外線フィルタ機能を有する透明板であり、本実施形態では、一方の面に紫外線反射膜２３が設けられ、他方の面に低反射膜２４が設けられている。
【００３１】
また、光源装置１７には、リフレクタ２１の開放面の前側に、金属筒または耐熱性樹脂筒からなる筒状の防爆カバー２５が配置されている。防爆カバー２５は、両端が開放し、且つ一端側から他端側に向かって大径となるテーパー付き円筒体の内周面全体に非反射処理を施している。この防爆カバー２５は、その一端、すなわち、大径側端の開放緑は防爆カバー２５の軸線に対して垂直に形成され、他端、すなわち、小径側端の開放縁は軸線に垂直な面に対して一方向に所定角度傾いた傾斜面となるように形成されている。そして、この防爆カバー２５は、その一端（大径側端）の周縁部をリフレクタ２１の開放面の周縁部にビス止め等の手段により接続して設けられており、この防爆カバー２５の他端部（小径側端部）の内周に、防爆ガラス２２が、リフレクタ２１からの出射光の光軸、つまりリフレクタ２１の軸線に垂直となるように嵌合されている。
【００３２】
また、防爆カバー２５には、リフレクタ２１への接続端側の周面の一側部と他側部とに、リフレクタ２１の内部空間及び光源ランプ１８を空冷するための通風孔２６，２７が設けられている。
【００３３】
表示素子２８（図３参照）は、カラーフィルタのような入射光を着色する手段を備えない表示素子である。本実施形態では、一般にＤＭＤと略称されるマイクロミラー表示素子（Digital Micro mirror Device）を用いている。
【００３４】
マイクロミラー表示素子は、その構成は図示しないが、１つ１つの画素をそれぞれ、ＣＭＯＳをベースとするミラー駆動素子によって一方の傾き方向と他方の傾き方向とに傾動されるマイクロミラーにより形成する。これらのマイクロミラーは、縦横の幅が１０μｍ〜２０μｍの極薄金属片（例えば、アルミニウム片）から構成されている。このマイクロミラー表示素子は、その正面方向に対して一方向に傾いた入射方向から所定の角度範囲の入射角で入射した光を、複数のマイクロミラーの傾き方向の切換えにより、正面方向と斜め方向とに反射して画像を表示する。これにより、一方の傾き方向に傾動されたマイクロミラーに入射した光をこのマイクロミラーにより正面方向に反射し、他方の傾き方向に傾動されたマイクロミラーに入射した光をこのマイクロミラーにより斜め方向に反射し、正面方向への反射による明表示と、斜め方向への反射による暗表示とにより画像を表示する。なお、明表示の明るさは、マイクロミラーを一方の傾き方向（入射光を正面方向に反射させる傾き方向）に傾けておく時間を制御することによって任意に変化させることができる。したがって、マイクロミラー表示素子に、明るさに階調をもたせた画像を表示させることができる。
【００３５】
表示素子２８は、プロジェクタケース１内の後部領域の一側部に、その正面方向が、プロジェクタケース１の前面の一側部に設けられた投影口１１と対向するように配置されている。
【００３６】
また、図３及び図４に示すように、光源装置１７からの出射光を表示素子２８に入射させる光源側光学系２９は、光源装置１７からの出射光を赤、緑、青の３色に順次着色するためのカラーホイール３０と、光源装置１７からの出射光の強度分布を均一にするための導光ロッド３３と、カラーホイール３０により着色され導光ロッド３３により強度分布が均一にされた光を表示素子２８の前面に向けて投射する前後２つの光源側レンズ３４，３５及びミラー３７とを備えている。
【００３７】
カラーホイール３０は、扇状の赤、緑、青の３色のカラーフィルタ３１Ｒ，３１Ｇ，３１Ｂが周方向に並べて設けられた回転板から構成されている。カラーホイール３０は、その中心が光源装置１７からの出射光の光路の側方に配置されたカラーホイール回転モータ３２の回転軸に固定され、ホイール周方向の一部が光源装置１７からの出射光の光路に介在するように配置されている。このカラーホイール３０は、モータ３２により、３色のカラーフィルタ３１Ｒ，３１Ｇ，３１Ｂが光源装置１７からの出射光の光路を順次横切るように高速で回転駆動される。
【００３８】
導光ロッド３３は、表示素子２８の複数の画素がマトリックス状に配列している表示エリアの外形と相似な断面形状を有している。導光ロッド３３は、内周面全体に反射膜（図示せず）が設けられた角筒状体からなっており、その一端に光を入射させる入射面が形成され、他端に入射面から入射した光の出射面が形成されている。
【００３９】
導光ロッド３３は、入射面から入射した光をロッド内周面の反射膜により反射させながら導き、出射面から均一な強度分布の光を出射する。導光ロッド３３は、カラーホイール３０の出射側に、入射面をカラーホイール３０を介して光源装置１７と対向するように配置されている。また、導光ロッド３３は、光源装置１７のリフレクタ２１の開放面から出射し、リフレクタ２１の前側に配置された防爆ガラス２２を透過した光を入射面から入射させるために、防爆ガラス２２を透過した光の光軸、すなわち、リフレクタ２１の開放面からの出射光の光軸（リフレクタ２１の軸線）Ｏ１に対して一方向に平行にシフトした光軸Ｏ２にロッド中心軸が一致するように配置されている。
【００４０】
また、光源側レンズ３４，３５は、導光ロッド３３の出射側に配置されたレンズ支持筒３６内に、レンズ中心を導光ロッド３３の中心軸の延長線、すなわち、光源装置１７からの出射光（防爆ガラス２２を透過して出射した光）の光軸Ｏ２に一致するように配置されている。
【００４１】
そして、本実施形態では、レンズ支持筒３６の入射側に、カラーホイール回転モータ３２の配置部に対応する側部が切欠された筒状の導光ロッド支持部を形成し、この導光ロッド支持部内に導光ロッド３３が嵌装されている。
【００４２】
なお、導光ロッド３３は、表示素子２８の表示エリアと相似な断面形状を有する透明な角棒状体からなり、一端の入射面から入射した光を、ロッド外周面と外気である空気層との界面で全反射しながら導いて他端の出射面から均一な強度分布の光を出射するものでもよい。この場合、レンズ支持筒３６の導光ロッド支持部の内径を大きくし、導光ロッド支持部内に角棒状体からなる導光ロッドを、その内周面との間に空間を介在させて配置すればよい。
【００４３】
光源装置１７のリフレクタ２１と、光源側光学系２９のカラーホイール回転モータ３２と、導光ロッド３３と光源側レンズ３４，３５とを支持するレンズ支持筒３６とは、両端が開放する光源側ハウジング３８内に所定の位置関係で固定されている。そして、光源側ハウジング３８は、図３及び図４に示したように、プロジェクタケース１内の前後方向における中央部から後側の領域に、プロジェクタケース１の両側面のうち、表示素子２８の配置側とは反対側の側面に光源装置１７の配置側を向け、レンズ支持筒３６の出射端を表示素子２８の正面方向の領域に対向させるとともに、光源装置１７からの出射光の光軸Ｏ２を、表示素子２８の正面方向に対して略直交させて設置されている。
【００４４】
光源側光学系２９のミラー３７は、平面鏡から構成されている。ミラー３７は、一側面と後面及び前面に閉口４０，４１，４２を有している。ミラー３７は、一側面の閉口４０内にレンズ支持筒３６の出射端を挿入するとともに後面の閉口４１を表示素子２８に対向させてプロジェクタケース１内に設置されたミラーハウジング３９内に取り付けられている。また、ミラー３７は、表示素子２８の正面方向領域を挟んでレンズ支持筒３６の出射端と対向させるとともに、光源装置１７からの出射光の光軸Ｏ２に対して所定角度斜めに傾けて、光源装置１７から出射し、カラーホイール３０と導光ロッド３３と光源側レンズ３４，３５とを透過した光を表示素子２８に向けて反射し、その反射光を表示素子２８にその正面方向に対して一方の方向に傾いた方向から投射するように配置されている。
【００４５】
表示素子２８の前面には、この表示素子２８を保護するカバーガラス４３が配置されている。カバーガラス４３の前面側には、中継レンズ４４が配置されている。中継レンズ４４は、ミラーハウジング３９の後面の閉口に設けられている。中継レンズ４４は、光源装置１７から出射し、光源側光学系２９により表示素子２８にその正面方向に対して一方の方向に傾いた方向から投射された光を表示素子２８の正面方向に対して所定角度傾いた方向に沿う平行光に補正して表示素子２８に入射する。また、中継レンズ４４は、表示素子２８から出射した画像光を集光して投影レンズ４５に入射する。
【００４６】
この中継レンズ４４は、光源側光学系２９からの投射光のうち、中継レンズ面で表面反射した光を、投影レンズ４５による投影方向以外の方向に出射する特性を有している。
【００４７】
中継レンズ４４は、一方の面が凸面に形成され、他方の面が凹面に形成されたメニスカスレンズから構成されている。中継レンズ４４は、その凸面が表示素子２８に対向し、その凹面が光源側光学系２９及び投影レンズ４５に対向するように配置されている。また、中継レンズ４４は、レンズ中心を、表示素子２８の表示エリアの周緑のうち、光源側光学系２９からの投射光が入射する方向とは反対側の縁部の中心付近に対向するように配置されている。
【００４８】
そして、この中継レンズ４４の光源側光学系２９及び投影レンズ４５に対向する凹面は、光源側光学系２９からの投射光のうち、凹面で表面反射した光を、投影レンズ４５による投影方向以外の方向に出射する曲率をもった面に形成されている。表示素子２８に対向する凸面は、凹面の曲率に基いて、光源側光学系２９からの投射光を凹面と凸面とにより表示素子２８の正面方向に対して所定角度傾いた方向に屈折させて表示素子２８に入射する。表示素子２８に対向する凸面は、表示素子２８からその正面方向に出射した光を凸面と凹面とにより集光方向に屈折させて投影レンズ４５に入射させる曲率をもった面に形成されている。
【００４９】
なお、中継レンズ４４の有効領域は、円形レンズのうちの表示素子２８の表示エリアに対応する部分であり、他の部分は非有効領域である。本実施形態では、円形レンズから非有効領域を切り落とした形状の中継レンズ４４を用いている。
【００５０】
投影レンズ４５は、入射側固定鏡筒４６と、入射側固定鏡筒４６に係合され、回転操作により蛇方向に進退移動される出射側可動鏡筒４７と、を備えている。投影レンズ４５は、これらの鏡筒４６，４７内にそれぞれ複数枚のレンズ素子を組み合わせて構成されたレンズ群４８，４９を設けた可変焦点レンズである。投影レンズ４５は、その固定鏡筒４６の基端をミラーハウジング３９の前面の開口４２内に挿入し、この固定鏡筒４６の入射端を中継レンズ４４を介して表示素子２８に対向させる。また、可動鏡筒４７の出射端をプロジェクタケース１の前面の一側部に設けられた投影口１１に移動可能に嵌装することによりプロジェクタケース１内に収容されている。
【００５１】
なお、プロジェクタケース１の投影レンズ４５を配置した側の側面には、投影レンズ４５の可動鏡筒４７を手動により回転させて軸方向に移動させ、投影レンズ４５の焦点調整を行なうための閉口５０が設けられている。
【００５２】
また、プロジェクタケース１内には、プロジェクタケース１の後面に設けられた図示しないＵＳＢ端子、カラー画像信号及び音声信号の入力端子、ビデオ信号入力端子に接続された表示／音声系回路基板５１が、プロジェクタケース１の後面部と光源側ハウジング３８との間に立設状態で配置されている。表示／音声回路基板５１に、表示素子２８と、プロジェクタケース１内の上面部にスピーカ用放音部９に対向させて配置されたスピーカ（図示せず）が接続されている。
【００５３】
さらに、プロジェクタケース１内の光源側ハウジング３８の前側のスペースには、プロジェクタケース１の後面に設けられた図示しない電源コネクタに接続された電源系回路基板５２が水平に配置されている。電源系回路基板５２に、光源装置１７の光源ランプ１８が、その一対の棒状電極２０ａ，２０ｂの露出部にそれぞれ接続されたリード線５３ａ，５３ｂを介して接続されるとともに、カラーホイール回転モータ３２が図示しないリード線を介して接続されている。
【００５４】
なお、光源ランプ１８の一対の棒状電極２０ａ，２０ｂのうち、リフレクタ２１内側の棒状電極２０ａの露出部に接続されたリード線５３ａは、リフレクタ２１に設けられたリード挿通孔を通してリフレクタ２１外に引き出され、さらに光源側ハウジング３８の端部から引き出されて電源系回路基板５２に接続されている。
【００５５】
また、プロジェクタケース１内には、その上面部と光源側ハウジング３８及びミラーハウジング３９との間に、プロジェクタ制御回路基板５４が水平に配置されている。この制御回路基板５４には、表示／音声系回路基板５１及び電源系回路基板５２と、プロジェクタケース１の上面に設けられたランプインジケータ３及び過熱インジケータ４と、自動画質調整キー５及び手動画質調整キー６と、パワー／スタンバイインジケータ７と、開閉蓋８を開いて操作される各種調整キーと、プロジェクタケース１内にその前面のリモコン受信部１０に対向させて設けられた図示しない受信素子と、光源側ハウジング３８内にリフレクタ２１の近傍に位置するように配置された図示しない光源温度測定センサと、が接続されている。
【００５６】
さらに、プロジェクタケース１の底面と、投影レンズ４５が配置された側の側面と、後面には、それぞれ、プロジェクタケース１内を空冷するための複数の長孔状吸気孔５５，５６，５７が設けられている。
【００５７】
なお、光源側ハウジング３８と電源系回路基板５２は、プロジェクタケース１の底面部との間に通風空間を確保するように配置されている。ケース底面の複数の吸気孔５５は、光源側ハウジング３８及び電源系回路基板５２の下側に設けられている。
【００５８】
また、投影レンズ４５は、プロジェクタケース１の側面部との間に通風空間を確保するように配置されている。ケース側面の複数の吸気孔５６は、ケース側面の投影レンズ焦点調整用開口５０よりも後側の部分の略全域にわたって設けられている。
【００５９】
さらに、表示／音声系回路基板５１は、プロジェクタケース１の上面部との間に通風空間を確保するように配置されている。ケース後面の複数の吸気孔５７は、表示素子２８の配置部に対応する部分に設けられている。
【００６０】
ケース底面の複数の吸気孔５５のうち、電源系回路基板５２の下側に設けられた吸気孔（図示せず）と、ケース側面の吸気孔５６とは、自然吸気孔である。ケース底面の光源側ハウジング３８の下側の部分に設けられた吸気孔５５と、ケース後面の表示素子２８の配置部に対応する部分に設けられた吸気孔５７とは、強制吸気孔である。プロジェクタケース１内には、強制吸気孔５５，５７にそれぞれ対向する位置に吸気ファン５８，５９が配置されている。
【００６１】
また、プロジェクタケース１の光源装置１７が配置された側の側面には、その略全体にわたって複数の長孔状排気孔６１が設けられている。なお、プロジェクタケース１の光源装置１７が配置された側の側面は、嵌め込みパネル６０により構成されており、この嵌め込みパネル６０の略全域に複数の排気孔６１が設けられている。
【００６２】
これらの排気孔６１はいずれも強制排気孔であり、プロジェクタケース１内には、排気孔５９の形成領域、すなわち、嵌め込みパネル６０の略全域に対応させて、複数台、例えば、３台の大風力の排気ファン６１，６２，６３が配置されている。そして、吸気ファン５９，６０及び排気ファン６１，６２，６３は、電源系回路基板５２に接続されている。
【００６３】
また、複数の排気孔６１の孔緑はそれぞれ、排気効率を向上させるとともに、排気ファン６１，６２，６３による強制排気流の風切り音を低減するために、排気流方向に対して垂直またはそれに近い角度の面の無い形状、つまり排気流に渦を生じさせにくい形状に形成されている。本実施形態では、隣り合う排気孔間の部分の断面形状を略菱形形状にすることにより、複数の排気孔６１の孔緑をそれぞれ、その緑幅（嵌め込みパネル６０の板厚）の中央部からケース内面及び外面に向かって孔幅が大きくなる方向に傾斜させた形状にしている。
【００６４】
このプロジェクタは、光源装置１７から光を出射させ、光源側光学系２９のカラーホイール３０を高速で回転駆動させることにより、光源装置１７から出射して光源側光学系２９に入射した光を、カラーホイール３０により赤、緑、青の３色に順次着色する。さらに、導光ロッド３３により強度分布を均一にして、光源側レンズ３４，３５及びミラー３７により表示素子２８に向けて投射するとともに、赤、緑、青の光の投射周期に同期させて表示素子２８に赤、緑、青の単画像データを順次書込むことにより、表示素子２８に赤、緑、青の単色画像を順次表示させる。また、表示素子２８から順次出射する赤、緑、青の単色画像光を、投影レンズ４５により拡大して投影面に投影する。この投影により、赤、緑、青の３色の単色画像が重なって見えるフルカラー画像を表示する。
【００６５】
なお、このプロジェクタは、投影レンズカバー１２を、図２のように開いて投影レンズ４５の出射端を露出させ、電源キー２をオンさせて使用する。電源キー２をオンさせると、光源装置１７の光源ランプ１８が点灯し、カラーホイール３０が回転駆動されて表示素子２８に赤、緑、青の光が順次投射され、表示素子２８から順次出射する赤、緑、青の光が投影レンズ４５により投影される。また、吸気ファン５９，６０及び排気ファン６１，６２，６３が駆動され、プロジェクタケース１内の空冷が開始される。
【００６６】
また、投影レンズ４５による投影方向を投影面に合わせるプロジェクタケース１の姿勢調整は、赤、緑、青の光を投影レンズ４５により投影させた状態で前足部材１４の突出高さを調整することにより行なわれる。
【００６７】
なお、パソコンからの画像信号またはビデオ信号が入力されないときは、表示素子２８の表示エリア全体から赤、緑、青の光が順次出射し、その光が投影レンズ４５により投影される。そのため、このときの投影面の投影領域はその全体にわたって白である。
【００６８】
そして、画像信号またはビデオ信号が入力されると、表示素子２８に赤、緑、青の単色画像データが順次書込まれ、投影面に赤、緑、青の３色の単色画像が順次投影されてフルカラー画像が表示される。
【００６９】
また、画像投影の終了後は、画像信号またはビデオ信号の入力を停止し、電源キー２をオフさせて、投影レンズカバー１２を図１のように閉じる。電源キー２をオフさせると、光源装置１７の光源ランプ１８が消灯し、カラーホイール３０の回転駆動が停止される。それから一定時間後、または光源温度が一定温度以下になったときに吸気ファン５９，６０及び排気ファン６１，６２，６３の駆動が停止される。
【００７０】
なお、画像信号またはビデオ信号の入力を停止して画像投影を終了すると、投影面の投影領域全体が前述したように白になるため、電源キー２をオフさせずに投影レンズカバー１２を閉じてしまうことがある。この場合、光源ランプ１８の点灯と、カラーホイール３０と吸気ファン５９，６０及び排気ファン６１，６２，６３の駆動が継続されて無駄に電力を消費してしまう。しかし、このプロジェクタでは、投影レンズカバー１２の中央部に閉口を形成し、その閉口に半透明板１３を設けているため、電源キー２をオフさせずに投影レンズカバー１２を閉じてしまったときは、半透明板１３が投影レンズ４５からの出射光を受けて光って見える。このため、使用者に電源の切り忘れを気付かせることができる。
【００７１】
このようなプロジェクタにおいて、光源装置１７の光源ランプ１８の発光点からの放射光が発光されると、図６に示すように、発光された放射光は、リフレクタ２１の反射膜２１ａに反射させることにより集光してリフレクタ２１の開放面から出射し、リフレクタ２１の開放面の前側に配置された防爆ガラス２２を透過して導光ロッド３３に導かれる。
【００７２】
ここで、リフレクタ２１の内面には、その上半分に従来と同様に光を反射しやすい上部反射膜２１ｂが形成され、その下半分に上部反射膜２１ｂよりも熱を反射しない下部反射膜２１ｃが形成されている。このため、下部反射膜２１ｃでは上部反射膜２１ｂに比べて熱が反射しにくくなり、相対的に、リフレクタ２１内の上部領域の温度を下げるとともに、リフレクタ２１内の下部領域、例えば、図６に示す領域２１ｄの温度を上げることができる。この結果、リフレクタ２１内の上部雰囲気温度より下部雰囲気温度を高くすることができる。このように、光源ランプの仕様によって、リフレクタ２１内の上部温度を下げ、下部温度を上げることが求められている場合でも、新たな部品を追加することなく容易に温度制御することができる。
【００７３】
光源装置１７からの出射光は、光源側光学系２９のカラーホイール３０により赤、緑、青の３色に順次着色されて導光ロッド３３に入射する。導光ロッド３３にその入射面から入射した光は、この導光ロッド３３により強度分布を均一されてその出射面から出射し、光源側レンズ３４，３５及びミラー３７により、表示素子２８に、その正面方向に対して一方の方向に傾いた方向から向けて投射される。そして、中継レンズ４４により表示素子２８の正面方向に対して所定角度傾いた方向に沿う平行光に補正されて表示素子２８に入射する。
【００７４】
表示素子２８は、赤、緑、青の光の投射周期に同期させて、赤、緑、青の単色画像データを順次書込み、赤、緑、青の単色画像を順次表示する。そして、表示素子２８から順次出射した赤、緑、青の単色画像光は、中継レンズ４４により集光されて投影レンズ４５に入射し、この投影レンズ４５により拡大されて投影面に投影される。
【００７５】
ここで、このプロジェクタでは、中継レンズ４４に、表示素子２８に対向する面が凸面に形成され、光源側光学系２９及び投影レンズ４５に対向する面が凹面に形成されたメニスカスレンズを用いている。このため、光源側光学系２９からの投射光を表示素子２８の正面方向に対して所定角度傾いた方向に沿う平行光に補正して表示素子２８に入射する。そして、この表示素子２８から出射した画像光を投影レンズ４５に入射させるとともに、光源側光学系２９からの投射光のうち、中継レンズ４４の光源側光学系２９及び投影レンズ４５に対向する凹面で表面反射した光を、投影レンズ４５による画像光の投影方向以外の方向に出射することができる。このため、中継レンズ４４の光源側光学系２９及び投影レンズ４５に対向する凹面で表面反射した光が、投影レンズ４５により投影面に投影されることがない。したがって、投影面に、輝度むらやコントラスト低下の無い高品質の投影画像を表示することができる。
【００７６】
また、プロジェクタケース１内の空冷は、ケース内空気を、プロジェクタケース１の光源装置１７が配置された側の側面にその略全体にわたって設けられた複数の排気孔６１から大風力の排気ファン６１，６２，６３により強制排気している。また、ケース底面の光源側ハウジング３８の下側の部分に設けられた複数の吸気孔５５と、ケース後面に表示素子２８の配置部に対応させて設けられた吸気孔５７とから外気を吸気ファン５８，５９によりケース１内に強制吸気している。さらに、ケース底面の電源系回路基板５２の下側の部分に設けられた図示しない吸気孔及びプロジェクタケース１の投影レンズ４５が配置された側の側面に設けられた複数の吸気孔５６から、排気孔６１からのケース内空気の排気にともなう自然吸気によって外気をケース内に吸気して、各部の吸気孔５５，５６，５７から吸気した冷却空気を図３に破線矢印で示したように、プロジェクタケース１に通風させてケース内の全域を空冷する。また、その冷却空気の一部を光源装置１７の防爆カバー２５の一側部に設けられた通風孔２６からリフレクタ２１内に流入させ、リフレクタ２１内の空気を防爆カバー２５の他側部に設けられた通風孔２７からケース内に流出させてリフレクタ２１の内部空間及び光源ランプ１８を空冷することが行なわれる。
【００７７】
このプロジェクタは、上述した光源装置１７と、表示素子２８と、光源装置１７からの出射光を表示素子２８に入射させる光源側光学系２９と、表示素子２８からの出射光を投影面に投影する投影レンズ４５とを備えたものであり、このプロジェクタによれば、光源装置１７が上述したように光源ランプ１８の過熱を抑制する効果をもっているため、光源ランプ１８の寿命を長くし、ランプ交換の頻度を少なくすることができる。
【００７８】
また、このプロジェクタは、光源側光学系２９に、赤、緑、青の３色のカラーフィルタ３１Ｒ，３１Ｇ，３１Ｂが周方向に並べて設けられた回転板からなり、３色のカラーフィルタ３１Ｒ，３１Ｇ，３１Ｂが光源装置１７からの出射光の光路を順次横切るように回転駆動されるカラーホイール３０を備えさせ、表示素子として、入射光を着色する手段を備えず、その複数の画素に、カラーホイール３０の回転に同調させて赤、緑、青の３色の単位色の画像データを順次書込まれるマイクロミラー表示素子を用いているため、表示素子２８に解像度の高い赤、緑、青の３色の単位色画像を順次表示させ、これらの単位色画像を順次投影面に投影して、高精細なカラー画像を観察させることができる。
【００７９】
以上説明したように、本実施形態によれば、リフレクタ２１の内面には、その上半分に上部反射膜２１ｂが形成され、その下半分に下部反射膜２１ｃが形成されているので、リフレクタ２１内の上部領域の温度を下げるとともに、リフレクタ２１内の下部領域の温度を上げることができる。このため、光源ランプの仕様によって、リフレクタ２１内の上部温度を下げ、下部温度を上げることが求められている場合でも、新たな部品を追加することなく容易に温度制御することができる。
【００８０】
また、本実施形態によれば、リフレクタ２１の開放面の前側に防爆ガラス２２を配置しているので、光源ランプ１８が万が一破裂したときにも、光源装置１７の出射側に配置されたカラーホイール３０等の部品の損傷を防ぐことができる。
【００８１】
さらに、本実施形態によれば、両端が開放する筒状の防爆カバー２５を、その一端の周縁部をリフレクタ２１の開放面の周緑部に接続して設け、この防爆カバー２５の他端部の内周に防爆ガラス２２を嵌合した構成としているので、光源ランプ１８が万が一破裂したときにも、光源装置１７の出射側の周囲に位置する光源側ハウジング３８等の部品の損傷を防ぐことができる。
【００８２】
また、本実施形態によれば、防爆ガラス２２の一方の面に紫外線反射膜２３を設けているので、リフレクタ２１の開放面から出射した光のうちの紫外線成分を防爆ガラス２２の紫外線反射膜２３により反射してさらに紫外線量の少ない光を出射することができる。したがって、光源側光学系２９のカラーホイール３０のカラーフィルタ３１Ｒ，３１Ｇ，３１Ｂの紫外線による劣化や、マイクロミラー表示素子２８のマイクロミラーの光による発熱の度合を低くし、光源装置１７からの出射光を入射させるカラーホイール３０や表示素子２８等の部品への紫外線の影響を無くすことができる。
【００８３】
さらに、本実施形態によれば、防爆ガラス２２の他方の面に低反射膜２４を設けているため、リフレクタ２１の開放面から出射した光の防爆ガラス２２による反射を少なくし、リフレクタ２１からの出射光を、紫外線成分を除いて、効率良く防爆ガラス２２を透過させて出射することができる。
【００８４】
（実施形態２）
次に、本発明の実施形態２の光源装置及びこれを備えるプロジェクタについて説明する。実施形態２では、リフレクタ２１の内面の全面に従来と同様に光を反射しやすい反射膜２１ａが形成されている点、防爆ガラス２２及びカラーホイール３０がリフレクタ２１からの出射光の光軸Ｏ１に垂直な面に対して所定角度傾斜するように配置されている点が上述の実施形態１と異なっている。図７に本実施形態の光源装置１７近傍の概略図を示す。
【００８５】
図７に示すように、リフレクタ２１の内面の全面には、反射膜２１ａが形成されている。反射膜２１ａは、従来と同様に、光を反射しやすい膜から形成されている。
【００８６】
また、図７に示すように、防爆ガラス２２は、リフレクタ２１からの出射光の光軸Ｏ１に垂直な面に対して所定角度傾斜するように、斜めに傾けて配置されている。さらに、カラーホイール３０も、リフレクタ２１からの出射光の光軸Ｏ１に垂直な面に対して所定角度傾斜するように、斜めに傾けて配置されている。本実施形態では、防爆ガラス２２及びカラーホイール３０の上部がリフレクタ２１に近づくように、所定角度斜めに傾けて配置されている。
【００８７】
このように、防爆ガラス２２及びカラーホイール３０を所定角度斜めに傾けて配置されているので、光源ランプ１８から放射され、リフレクタ２１により反射されてその開放面から出射した光のうち、防爆ガラス２２及びカラーホイール３０により反射された光は、リフレクタ２１内の下部領域に集光し、例えば、図７に示す領域２１ｄの温度を上げることができる。この結果、リフレクタ２１内の上部雰囲気温度より下部雰囲気温度を高くすることができる。このように、光源ランプの仕様によって、リフレクタ２１内の上部温度を下げ、下部温度を上げることが求められている場合でも、新たな部品を追加することなく容易に温度制御することができる。
【００８８】
また、防爆ガラス２２及びカラーホイール３０により反射されてリフレクタ２１内に戻った光が光源ランプ１８に集光しないので、光源ランプ１８を昇温させることがなくなる。このため、光源ランプ１８のリフレクタ２１内側の棒状電極２０ａの露出部の溶解や熱酸化を無くことはもちろん、光源ランプ１８全体の昇温を低くすることができる。
【００８９】
以上説明したように、本実施形態によれば、防爆ガラス２２及びカラーホイール３０を所定角度斜めに傾けて配置されているので、リフレクタ２１内の上部雰囲気温度より下部雰囲気温度を高くすることができる。このため、光源ランプの仕様によって、リフレクタ２１内の上部温度を下げ、下部温度を上げることが求められている場合でも、新たな部品を追加することなく容易に温度制御することができる。
【００９０】
なお、本発明は、以上の実施形態に限定されるものではなく、発明の要旨を逸脱しない範囲で自由に変更、改良が可能である。以下、本発明に適用可能な他の実施形態について説明する。
【００９１】
上記実施形態１では、リフレクタ２１内面の上半分に上部反射膜２１ｂが形成され、その下半分に下部反射膜２１ｃが形成されている場合を例に本発明を説明したが、例えば、リフレクタ２１内の上部温度を上げ、下部温度を下げることが求められている場合には、リフレクタ２１の内面の上半分に下部反射膜２１ｃを形成するとともに、その下半分に上部反射膜２１ｂを形成すればよい。
【００９２】
また、上記実施形態１では、リフレクタ２１内面の上下方向の中央を境にして、上部反射膜２１ｂと下部反射膜２１ｃとを区分けした場合を例に本発明を説明したが、リフレクタ２１内が所望する温度分布となるように、リフレクタ２１内面に任意の方向及び数の反射膜を形成すればよい。
【００９３】
例えば、図８に示すように、リフレクタ２１内面の上下方向の下端部近傍を境にして、上部反射膜２１ｂと下部反射膜２１ｃとを区分けしてもよい。また、図９に示すように、上下方向から所定角度傾けた方向を境にして、上部反射膜２１ｂと下部反射膜２１ｃとを区分けしてもよい。さらに、図１０に示すように、図９とは逆方向に傾けた方向を境にして、上部反射膜２１ｂと下部反射膜２１ｃとを区分けしてもよい。上下方向から所定角度傾けた方向を境にして区分けした場合、リフレクタ２１内で暖かい空気が循環しやすくなる。
【００９４】
上記実施形態２では、防爆ガラス２２及びカラーホイール３０の上部がリフレクタ２１に近づくように、所定角度斜めに傾けて配置されている場合を例に本発明を説明したが、リフレクタ２１内が所望する温度分布となるように、防爆ガラス２２及びカラーホイール３０の傾きを調整すればよく、例えば、防爆ガラス２２及びカラーホイール３０の上部がリフレクタ２１から遠ざかるように、所定角度斜めに傾けて配置されていてもよい。また、防爆ガラス２２及びカラーホイール３０により反射された光を再びリフレクタ２１に反射させてリフレクタ２１の開放面から容易に出射できるような角度に傾けてもよい。
【００９５】
上記実施形態では、防爆ガラス２２を、紫外線反射膜２３の形成面をリフレクタ２１側に向け、低反射膜２４の形成面を出射側に向けて設けているが、低反射膜２４の形成面をリフレクタ２１側に向け、紫外線反射膜２３の形成面を出射側に向けて設けてもよい。
【００９６】
上記実施形態では、リフレクタ２１の開放面の前側に、一方の面に紫外線反射膜２３が設けられ、他方の面に低反射膜２４が設けられた防爆ガラス２２を配置しているが、防爆ガラス２２は、紫外線反射膜２３と低反射膜２４の一方だけを設けたものであっても、紫外線反射膜２３と低反射膜２４の両方を省略した単体の防爆ガラスであってもよい。
【００９７】
リフレクタ２１の開放面の前側に配置する透明板は、防爆ガラスに限らず、例えば、紫外線フィルタであってもよい。透明板に紫外線フィルタ機能をもたせることにより、光源装置１７からの出射光を入射させる部品への紫外線の影響をなくすことができる。
【００９８】
上記実施形態のプロジェクタでは、カラーホイール３０を、光源側光学系２９の導光ロッド３３の入射側に配置しているが、カラーホイール３０は、光源装置１７から投影レンズ４５の入射端までの光路内であれば、他の位置に配置してもよい。
【００９９】
上記実施形態のプロジェクタでは、入射光の出射を制御して画像を表示するものであればよく、例えば、後面側に反射膜を備えた反射型液晶表示素子や、後面側から入射した光の前面側への出射を制御して表示する透過型液晶表示素子であってもよい。反射型液晶表示素子を用いる場合には、例えば、その正面方向に対して一方の方向に傾いた入射方向から入射し、液晶層を透過して反射膜により反射された光を、プリズムシート等により屈折させて正面方向に出射する構成とする。透過型液晶表示素子を用いる場合には、光源装置１７の位置と光源側光学系２９の構成を、透過型液晶表示素子にその後面から光を投射するように変更すればよい。
【０１００】
また、表示素子に液晶表示素子を用いる場合、その液晶表示素子は、複数の画素にそれぞれ対応する複数の色、例えば、赤、緑、青の３色のカラーフィルタを備えたカラー表示素子であってもよい。このカラー表示素子を用いる場合には、光源側光学系２９からカラーホイール３０を省略し、白色光をカラー表示素子に投射するようにすればよい。
【図面の簡単な説明】
【０１０１】
【図１】本発明の実施形態１のプロジェクタの不使用状態での外観斜視図である。
【図２】図１のプロジェクタの使用状態での外観斜視図である。
【図３】図１のプロジェクタの横断平面図である。
【図４】図３のＩＶ−ＩＶ線に沿う断面図である。
【図５】（ａ）はリフレクタ内面の反射膜の形状を示す側面図であり、（ｂ）はリフレクタ内面の反射膜の形状を示す正面図である。
【図６】光源装置から発光された光の進路を説明する図である。
【図７】本発明の実施形態２の光源装置を説明する図である。
【図８】他の実施形態のリフレクタ内面の反射膜の形状を示す図であり、（ａ）は側面図であり、（ｂ）は正面図である。
【図９】他の実施形態のリフレクタ内面の反射膜の形状を示す図であり、（ａ）は側面図であり、（ｂ）は正面図である。
【図１０】他の実施形態のリフレクタ内面の反射膜の形状を示す図であり、（ａ）は側面図であり、（ｂ）は正面図である。
【符号の説明】
【０１０２】
１７…光源装置、１８…光源ランプ、１９…ガラスバルブ、２０ａ，２０ｂ…棒状電極、２１…リフレクタ、２１ａ…反射膜、２１ｂ…上部反射膜、２１ｃ…下部反射膜、２２…防爆ガラス、２３…紫外線反射膜、２４…低反射膜、２５…防爆カバー、２８…表示素子、２９…光源側光学系、３０…カラーホイール、３１Ｒ，３１Ｇ，３１Ｂ…カラーフィルタ、３３…導光ロッド、３４，３５…光源側レンズ、３７…ミラー、４３…カバーガラス、４４…中継レンズ、４５…投影レンズ
【図１】
2006284627.tif 000003
【図２】
2006284627.tif 000004
【図３】
2006284627.tif 000005
【図４】
2006284627.tif 000006
【図５】
2006284627.tif 000007
【図６】
2006284627.tif 000008
【図７】
2006284627.tif 000009
【図８】
2006284627.tif 000010
【図９】
2006284627.tif 000011
【図１０】
2006284627.tif 000012